(57)【要約】      （修正有）【課題】立体感を伴い、斬新な見栄えを有する表示装置を提供する。【解決手段】表示板１３０と、表示板の視認側とは反対側に配置された回転軸１５１から、表示板の外周部をコの字状に迂回して視認側で外周部側から中心側に向けて延びる指針本体部１５４を有する指針１５０と、指針に向けて光を出射する光源部１７０と、指針の途中部位に設けられて光源部からの光を反射させて指針本体部の延設方向に導く反射部１５５〜１５７と、を備える表示装置において、表示板は外周部から中心側に向けて視認側とは反対側にすり鉢状に凹む傾斜面１３１を有し、指針本体部は透明部材によって形成されている。指針本体部の反対側面１５４ｂに、指針本体部の延設方向の光を視認側に反射させて、指針本体部の延設方向に針状の発光部を形成する針状反射部を設ける。視認側からは、針状の発光部が傾斜面に沿って虚像として視認される。【選択図】図２
2019060702.tif 000002
【特許請求の範囲】
【請求項１】
所定情報を表示するための表示板（１３０）と、
前記表示板の視認側とは反対側に配置された回転軸（１５１）から、前記表示板の外周部をコの字状に迂回して、前記視認側で前記外周部側から中心側に向けて延びる指針本体部（１５４）を有する指針（１５０）と、
前記指針に向けて光を出射する光源部（１７０）と、
前記指針の途中部位に設けられて、前記光源部からの光を反射させて、前記指針本体部の延設方向に導く反射部（１５５、１５６、１５７）と、を備える表示装置において、
前記表示板は、前記外周部から中心側に向けて前記視認側とは反対側にすり鉢状に凹む傾斜面（１３１）を有し、
前記指針本体部は、透明部材によって形成されており、
前記指針本体部の前記視認側とは反対側の面（１５４ｂ）には、前記延設方向の光を前記視認側に反射させて、前記指針本体部の前記延設方向に針状の発光部を形成する針状反射部（１５４ｃ）が設けられており、
前記視認側からは、前記針状の発光部が、前記傾斜面に沿って虚像として視認される表示装置。
【請求項２】
前記針状反射部は、前記反対側から前記視認側に凹む複数の凹部の集合体から形成された請求項１に記載の表示装置。
【請求項３】
前記指針本体部は、前記視認側から見た外形が、前記外周部側に底辺を有する三角形を成しており、
前記三角形の底辺側には、前記外周部の周方向に延びるライン状の発光部を形成するライン状反射部（１５４ｄ）が形成された請求項１または請求項２に記載の表示装置。
【請求項４】
前記表示板における所定情報を表わす情報内容（１３３、１３４、１３５、１３６）が、前記傾斜面に形成された請求項１〜請求項３のいずれか１つに記載の表示装置。
【発明の詳細な説明】
【技術分野】
【０００１】
本発明は、例えば、車両に用いて好適な表示装置に関するものである。
【背景技術】
【０００２】
従来の表示装置として、例えば、特許文献１に記載されたものが知られている。特許文献１の表示装置における指針は、平板を成す表示板の外周部を迂回するように、コの字状に形成されている。つまり、指針は、視認側から見たとき、表示板の外周部側から中心部側に向けてまっすぐ延びており（指針本体部を形成し）、表示板上を回動するようになっている。
【先行技術文献】
【特許文献】
【０００３】
【特許文献１】特開２０１０−２５６６４号公報
【発明の概要】
【発明が解決しようとする課題】
【０００４】
しかしながら、上記特許文献１の表示装置においては、単に、コの字状を成す指針の指針本体部が、平坦な表示板上を回動するに過ぎない。
【０００５】
本発明の目的は、上記問題に鑑み、立体感を伴い、斬新な見栄えを有する表示装置を提供することにある。
【課題を解決するための手段】
【０００６】
本発明は上記目的を達成するために、以下の技術的手段を採用する。
【０００７】
本発明では、所定情報を表示するための表示板（１３０）と、
表示板の視認側とは反対側に配置された回転軸（１５１）から、表示板の外周部をコの字状に迂回して、視認側で外周部側から中心側に向けて延びる指針本体部（１５４）を有する指針（１５０）と、
指針に向けて光を出射する光源部（１７０）と、
指針の途中部位に設けられて、光源部からの光を反射させて、指針本体部の延設方向に導く反射部（１５５、１５６、１５７）と、を備える表示装置において、
表示板は、外周部から中心側に向けて視認側とは反対側にすり鉢状に凹む傾斜面（１３１）を有し、
指針本体部は、透明部材によって形成されており、
指針本体部の視認側とは反対側の面（１５４ｂ）には、延設方向の光を視認側に反射させて、指針本体部の延設方向に針状の発光部を形成する針状反射部（１５４ｃ）が設けられており、
視認側からは、針状の発光部が、傾斜面に沿って虚像として視認されることを特徴としている。
【０００８】
この発明によれば、指針本体部（１５４）は、透明部材によって形成されているため、視認側からは視認されにくい。そして、指針本体部（１５４）には、針状反射部（１５４ｃ）によって針状の発光部が形成されて、この針状の発光部が実際の指針として視認されることになる。ここで、表示板（１３０）には、傾斜面（１３１）が形成されているため、視認側からは、透明な指針本体部（１５４）を通して、針状の発光部が傾斜面（１３１）に沿う虚像として視認される。よって、針状の発光部は、あたかも傾斜面（１３１）に沿って回動するように視認されるため、立体感（奥行き感）に富む、斬新な表示装置とすることができる。
【０００９】
尚、上記各手段の括弧内の符号は、後述する実施形態記載の具体的手段との対応関係を示すものである。
【図面の簡単な説明】
【００１０】
【図１】表示装置を示す正面図である。
【図２】図１におけるII−II部を示す断面図である。
【図３】指針を示す正面図である。
【図４】図３におけるＩＶ−ＩＶ部を示す断面図である。
【図５】図４におけるＶ方向から見た矢視図である。
【図６】図３におけるＶＩ方向から見た矢視図である。
【図７】図５におけるＶＩＩ部を示す拡大図である。
【図８】図７におけるＶＩＩＩ−ＶＩＩＩ部を示す断面図である。
【図９】図８におけるＩＸ−ＩＸ部を示す断面図である。
【図１０】指針本体部における針状の発光部が傾斜面に虚像として視認される様子を示す説明図である。
【発明を実施するための形態】
【００１１】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１２】
（第１実施形態）
第１実施形態の表示装置１００について、図１〜図１０を用いて説明する。第１実施形態の表示装置１００は、車両に適用され、図１に示すように、例えば、車両の所定情報として、車両走行時におけるエンジン回転数をユーザ（視認者）に表示するエンジン回転計となっている。表示装置１００は、車両のインストルメントパネルのユーザ側の面に設けられている。
【００１３】
表示装置１００は、ケース１１０、基板１２０、表示板１３０、導光板１４０、指針１５０、モータ１６０、光源部１７０、見返し板１８０、およびフロントカバー１９０等を備えている。
【００１４】
ケース１１０は、以下説明する各部材を収容、あるいは保持するための筐体であり、第１ケース部１１１、および第２ケース部１１２等から形成されている。
【００１５】
第１ケース部１１１は、例えば、ポリプロピレン等の樹脂材料により形成されている。第１ケース部１１１の中心領域には、開口部１１１ａが形成されており、モータ１６０のシャフト１６１が挿通されると共に、光源部１７０からの光が通過できるようになっている。また、第１ケース部１１１の視認側の面は、反視認側に凹むように形成されており、指針１５０の延設部１５２が回動するための空間部となっている。
【００１６】
第２ケース部１１２は、例えば、ポリプロピレン等の樹脂材料により形成された有底容器である。第２ケース部１１２は、第１ケース部１１１に対して、視認側とは反対側に配置されて、第１ケース部１１１に組付けられている。以下、視認側とは反対側を反視認側と呼ぶことにする。第２ケース部１１２は、基板１２０（およびモータ１６０、光源部１７０等）を内部に収容することで、反視認側からの基板１２０（およびモータ１６０、光源部１７０等）への塵および埃等の付着を防止している。
【００１７】
基板１２０は、例えば、ガラスエポキシ基板等から成り、表示装置１００の電気回路部を形成している。基板１２０は、第１ケース部１１１と、第２ケース部１１２との間（ケース１１０の内部）に配置されている。基板１２０には、モータ１６０、および光源部１７０等が設けられている。
【００１８】
表示板１３０は、例えば、透光性材（例えば、透明なポリカーボネート樹脂等）から形成された薄い板部材である。表示板１３０は、視認側から見たときのケース１１０のアウトラインに沿うように形成されており、第１ケース部１１１の視認側に配置されている。表示板１３０は、例えば、圧空成形によって形成されており、外周部から中心側に向けて反視認側にすり鉢状に凹む傾斜面１３１を有している。また、表示板１３０の中心領域は、傾斜面１３１の最も凹まされた位置よりも、ある程度、視認側に平坦に膨らむ中心部１３２となっている。
【００１９】
傾斜面１３１の視認側の面には、外周側目盛部１３３、内周側目盛部１３４、数字部１３５、および意匠ライン１３６等が形成されている。各目盛部１３３、１３４、数字部１３５、および意匠ライン１３６は、本発明の所定情報を表わす情報内容に対応する。
【００２０】
外周側目盛部１３３は、エンジンの回転数値を示すための目盛部であり、傾斜面１３１の外周部で、周方向に並ぶように形成されている。内周側目盛部１３４は、外周側目盛部１３３に対応するように設けられた目盛部であり、傾斜面１３１の内周部（中心部１３２の周囲）で、周方向に並ぶように形成されている。また、数字部１３５は、エンジンの回転数値を示すものであり、外周側目盛部１３３と内周側目盛部１３４との間（傾斜面１３１）で、周方向に並ぶように形成されている。また、意匠ライン１３６は、傾斜面１３１上の各数字部１３５の間で、外周側目盛部１３３と、内周側目盛部１３４とを繋ぐラインとして形成されている。
【００２１】
表示板１３０の、各目盛部１３３、１３４、数字部１３５、および意匠ライン１３６を除く領域には、遮光性の印刷塗装（例えば黒色塗装）が施されている。
【００２２】
導光板１４０は、表示板１３０における各目盛部１３３、１３４、数字部１３５、および意匠ライン１３６に対して、光源部１７０からの光を表示板１３０の面の拡がる方向に導いて、各目盛部１３３、１３４、数字部１３５、および意匠ライン１３６を均一に照らす部材となっている。導光板１４０は、表示板１３０のすり鉢状の形状（傾斜面１３１、および中心部１３２）に沿うように、形成されており、表示板１３０の反視認側に配置されている。
【００２３】
表示板１３０と導光板１４０は、扁平な有底筒状のリフレクタ１４１に保持されている。更に、リフレクタ１４１は、第１ケース部１１１に保持されている。リフレクタ１４１の底部１４１ａの中心領域には、開口部１４１ｂが設けられており、光源部１７０からの光が導光板１４０に至るようになっている。そして、リフレクタ１４１の底部１４１ａ、および外周壁１４１ｃは、光源部１７０からの光が、リフレクタ１４１の外側に漏れるのを防止するようになっている。
【００２４】
指針１５０は、表示板１３０の外周部をコの字状に迂回するように形成されており、回転軸１５１、延設部１５２、中間部１５３、指針本体部１５４、第１反射部１５５、第２反射部１５６、および第３反射部１５７等を有している。指針本体部１５４が表示板１３０上で回動して、後述する針状反射部１５４ｃによる針状の発光部にて、各目盛部１３３、１３４、数字部１３５、および意匠ライン１３６を指し示すことでエンジン回転数を表示するようになっている。指針１５０は、透明な光伝導性材料（例えば、ポリカーボネート樹脂、あるいはアクリル樹脂等の透明部材）から形成されている。
【００２５】
回転軸１５１は、指針１５０の一端側でパイプ状を成す部材となっており、リフレクタ１４１の底部１４１ａの反視認側で、第１ケース部１１１の開口部１１１ａの中心位置に配置されている。回転軸１５１の軸線は、基板１２０に対して直交している。回転軸１５１には、モータ１６０のシャフト１６１が挿入されるようになっており、モータ１６０によって回転されるようになっている。
【００２６】
延設部１５２は、回転軸１５１の周壁の一部から軸線に対して直交して、表示板１３０の外周部側に延びる棒状の部材となっている。
【００２７】
中間部１５３は、延設部１５２の延設された先端部から直交して、表示板１３０の外周部（リフレクタ１４１の外周壁１４１ｃ）の外側を通過するように視認側に向けて延びる棒状の部材となっている。
【００２８】
指針本体部１５４は、中間部１５３の延設された先端部から直交して、表示板１３０の視認側で、外周部側から中心側に向けて延びる部材となっている。このように、延設部１５２、中間部１５３、および指針本体部１５４は、指針１５０におけるコの字状の部分を形成している。
【００２９】
第１反射部１５５は、延設部１５２の回転軸１５１に隣接する部位（指針１５０の途中部位）に設けられて、基板１２０に対して４５°程度に傾斜された斜面として形成されている。第１反射部１５５は、光源部１７０から出射される回転軸１５１の軸線方向の光を延設部１５２が延びる方向に反射させるようになっている。
【００３０】
第２反射部１５６は、延設部１５２と中間部１５３とが接続される部位（指針１５０の途中部位）に設けられて、基板１２０に対して４５°程度に傾斜された斜面として形成されている。第２反射部１５６は、第１反射部１５５から延設部１５２の延設方向に導かれる光を中間部１５３が延びる方向に反射させるようになっている。
【００３１】
第３反射部１５７は、中間部１５３と指針本体部１５４とが接続される部位（指針１５０の途中部位）に設けられて、基板１２０に対して４５°程度に傾斜された斜面として形成されている。第３反射部１５７は、第２反射部１５６から中間部１５３の延設方向に導かれる光を指針本体部１５４が延びる方向（表示板１３０の中心側）に反射させるようになっている。
【００３２】
つまり、光源部１７０からの光は、第１〜第３反射部１５５、１５６、１５７によって、指針本体部１５４の延設方向に導かれるようになっている。第１〜第３反射部１５５、１５６、１５７は、本発明の反射部に対応する。
【００３３】
ここで、指針本体部１５４は、視認側から見た外形が三角形を成しており、板状に形成されている。三角形の具体的な形状は、例えば、細長の二等辺三角形となっており、等しい二辺に対向する底辺は、表示板１３０の外周部側に位置しており、底辺に対向する頂点は、表示板１３０の中心側を向いている。
【００３４】
指針本体部１５４の視認側の面は視認側面１５４ａとなっており、また、反視認側の面は反対側面１５４ｂとなっている。そして、反対側面１５４ｂには、針状反射部１５４ｃ、およびライン状反射部１５４ｄが形成されている。
【００３５】
針状反射部１５４ｃ（図５中の網掛け部）は、微細加工によって、反対側面１５４ｂから視認側に凹む複数の凹部の集合体から形成されている。針状反射部１５４ｃの凹部は、透明感があり、微細加工跡は、視認側からは可視できない、または気にならないものとなっている。針状反射部１５４ｃの複数の凹部は、反対側面１５４ｂにおいて、指針本体部１５４の二等辺三角形の底辺側から頂点側に延びる細長の領域に配置されており、指針本体部１５４における延設方向の光を視認側に反射させるようになっている。このように、針状反射部１５４ｃは、視認側に光を反射させることで、視認側に対して、針状の発光部を形成するようになっている。
【００３６】
ライン状反射部１５４ｄ（図５中の網掛け部）は、針状反射部１５４ｃと同様に、微細加工によって、反対側面１５４ｂから視認側に凹む複数の凹部の集合体から形成されている。ライン状反射部１５４ｄの凹部は、透明感があり、微細加工跡は、視認側からは可視できない、または気にならないものとなっている。ライン状反射部１５４ｄの複数の凹部は、反対側面１５４ｂにおいて、指針本体部１５４の二等辺三角形の底辺側において、底辺（表示板１３０の外周部の周方向）に沿う細長の領域に配置されており、指針本体部１５４における延設方向の光を視認側に反射させるようになっている。ライン状反射部１５４ｄは、例えば、３本のラインを形成している。このように、ライン状反射部１５４ｄは、視認側に光を反射させることで、視認側に対して、ライン状の発光部を形成するようになっている。
【００３７】
上記針状反射部１５４ｃ、およびライン状反射部１５４ｄにおける凹みの開口形状は、図７〜図９に示すように、例えば、扁平な二等辺三角形を成して、視認側に向けて三角錐状の空間を形成するようになっている。二等辺三角形の等しい二辺と向き合う底辺は、例えば、１７０μｍ前後であり、底辺からの高さは、例えば、１５μｍ前後である。また、凹みの深さは、例えば、１５μｍ前後となっている。
【００３８】
そして、三角錐状の凹みを形成する少なくとも１つの面が、指針本体部１５４における延設方向の光と対応（対向）するように配置されている。少なくとも１つの面は、例えば、二等辺三角形の等しい二辺に対応する凹みの内壁となっており、ここでは、２つの反射面１５４ｅとなっている。反射面１５４ｅは、視認側に向けて、例えば、４５°程度の角度で傾斜されており、上記のように、指針本体部１５４における延設方向の光を視認側に反射させるようになっている（図８）。
【００３９】
針状反射部１５４ｃ、およびライン状反射部１５４ｄの複数の凹部は、反対側面１５４ｂにおいて、例えば、千鳥状に配置されている（図７）。二等辺三角形の底辺方向の千鳥配置ピッチは、例えば、２２０μｍ前後であり、二等辺三角形の高さ方向の千鳥配置ピッチは、例えば、７０μｍ前後である。
【００４０】
モータ１６０は、指針１５０を回動させる指針用の駆動部であり、基板１２０の中心部において反視認側に配置されている。モータ１６０には複数の爪部が設けられており、この爪部によって、モータ１６０は、基板１２０に固定（係止）されている。モータ１６０は、例えば、パルス電力に同期して動作する同期電動機としてのステッパモータが使用されている。モータ１６０は、表示装置１００の制御部によって回転制御されるようになっている。
【００４１】
モータ１６０のシャフト１６１は、基板１２０に設けられた挿通孔を通り、回転軸１５１側に延びて、回転軸１５１に接続されている。よって、モータ１６０によって回転軸１５１が回転制御されるようになっており、回転軸１５１の回転により、延設部１５２、中間部１５３に連動して、指針本体部１５４は、表示板１３０上で回動するようになっている。
【００４２】
光源部１７０は、指針本体部１５４、および表示板１３０を照明する（発光させる）ものであり、基板１２０における視認側の面において、モータ１６０のシャフト１６１（回転軸１５１）の周方向に並ぶように、複数、配置されている。光源部１７０は、例えば、白色、あるいは青色等の発光ダイオードが使用され、光を指針１５０（第１反射部１５５）、および導光板１４０に向けて、出射するようになっている。
【００４３】
見返し板１８０は、樹脂材から形成されており、表示板１３０のエンジン回転数を表示する領域がユーザに視認されるようにする筒状の部材となっており、反視認側の端部が第１ケース部１１１に固定されている。見返し板１８０の筒状の壁は、第１ケース部１１１から視認側に延びるように形成されている。
【００４４】
フロントカバー１９０は、透明あるいは半透明（スモーク調）の樹脂製の板部材であり、見返し板１８０の視認側端部に固定されている。
【００４５】
次に、上記構成に基づく表示装置１００の作動、およびその作用効果について説明する。
【００４６】
車両走行時において、モータ１６０のシャフト１６１は、表示装置１００の制御部によってエンジン回転数に応じて回転制御され、この回転によって、回転軸１５１が回転され、更に延設部１５２、中間部１５３を介して、指針本体部１５４が回動される。
【００４７】
光源部１７０が点灯されると、指針本体部１５４の照明が行われる。つまり、光源部１７０からの光は、開口部１１１ａを通り、更に、第１反射部１５５、第２反射部１５６、および第３反射部１５７で、順に反射して、指針本体部１５４の先端側（表示板１３０の中心側）に導かれる。そして、指針本体部１５４に導かれた光は、針状反射部１５４ｃ、およびライン状反射部１５４ｄで、それぞれ視認側に反射される。
【００４８】
針状反射部１５４ｃで反射された光は、視認側に対して、針状の発光状態（針状の発光部）を形成する。また、ライン状反射部１５４ｄで反射された光は、視認側に対して、ライン状の発光状態（ライン状の発光部）を形成する。
【００４９】
指針本体部１５４は、透明部材によって形成されているため、視認側からは視認されにくい。そして、針状反射部１５４ｃによって形成された針状の発光部、およびライン状反射部１５４ｄによって形成されたライン状の発光部が、実際の指針として視認されることになる。
【００５０】
ここで、表示板１３０には、傾斜面１３１が形成されているため、図１０に示すように、視認側からは、透明な指針本体部１５４を通して、針状の発光部が傾斜面１３１に沿う虚像として視認される。つまり、指針本体部１５４における針状の発光部は、指針本体部１５４の長手方向の位置（ａ〜ｅ）に応じて、傾斜面１３１側に下がって（Ａ〜Ｅ）、あたかも傾斜面１３１に沿って、針状の発光部が形成されているように視認される。そして、針状の発光部は、傾斜面１３１に沿って回動するように視認される。この針状の発光部は、傾斜面１３１における各目盛部１３３、１３４、数字部１３５、および意匠ライン１３６を指し示すことで、表示装置１００は、車両のエンジン回転表示を行う。
【００５１】
また、ライン状の発光部は、表示板１３０の外周部において、周方向に回動するように視認される。
【００５２】
尚、光源部１７０が点灯されると、表示板１３０の照明も行われる。つまり、光源部１７０の光は、リフレクタ１４１の開口部１４１ｂを通り導光板１４０に至り、周方向および径方向に拡散されて、更に、表示板１３０に至る。そして、表示板１３０（各目盛部１３３、１３４、数字部１３５、および意匠ライン１３６）が照明（発光）される。
【００５３】
以上のように、本実施形態では、表示板１３０に傾斜面１３１が形成され、指針本体部１５４の針状の発光部が、あたかも傾斜面１３１に沿って回動するように視認されるため、立体感（奥行き感）に富む、斬新な表示装置とすることができる。
【００５４】
また、針状反射部１５４ｃは、微細加工によって、反対側面１５４ｂから視認側に凹む複数の凹部の集合体から形成されている。これにより、針状反射部１５４ｃは、視認側からは視認されにくく、且つ、確実に光を視認側に反射させて、針状の発光部を形成することができる。
【００５５】
また、指針本体部１５４は、視認側から見た外形が、表示板１３０の外周部側に底辺を有する三角形を成しており、この三角形の底辺側には、外周部の周方向に延びるライン状の発光部を形成するライン状反射部１５４ｄが形成されている。これにより、指針本体部１５４の意匠を、針状の発光部に加えて、ライン状の発光部を加えたものとすることができ、指針としての意匠性を向上させることができる。
【００５６】
また、表示板１３０における所定情報を表わす情報内容（各目盛部１３３、１３４、数字部１３５、および意匠ライン１３６）が、傾斜面１３１に形成されている。これにより、表示板１３０における情報内容に重なるように針状の発光部が視認されるので、立体感を更に強調することができる。
【００５７】
（その他の実施形態）
上記実施形態では、指針本体部１５４において、針状反射部１５４ｃに加えて、ライン状反射部１５４ｄも設けるものとして説明したが、ライン状反射部１５４ｄは、必要に応じて、廃止してもよい。
【００５８】
また、上記実施形態では、針状反射部１５４ｃ、およびライン状反射部１５４ｄは、三角錐状の凹部を複数設けたものとしたが、これに限定されることなく、例えば、断面が三角形状の溝を複数並べたもの等としてもよい。
【００５９】
また、上記実施形態では、針状反射部１５４ｃ、およびライン状反射部１５４ｄ（複数の凹部）を千鳥状に配置するものとしたが、これに限らず、縦横に整列配置したもの、あるいは、ランダムに配置したもの等、とすることも可能である。
【００６０】
また、光源部１７０は、指針１５０に加えて、導光板１４０も照明するものとして説明したが、導光板１４０専用の他の光源部を用いたものとしてもよい。
【００６１】
また、上記各実施形態では、本発明を車両の所定情報としてエンジン回転数を表示するものに適用して説明した。しかしながら、これに限らず、その他別の情報（車速、燃料残量、エンジン水温等）を表示するものにも広く適用することができる。また、車両用に限らず、例えば、定置用の設備等に設けられる表示装置にも広く適用することができる。
【符号の説明】
【００６２】
１００  表示装置
１３０  表示板
１３１  傾斜面
１３３  外周側目盛部（情報内容）
１３４  内周側目盛部（情報内容）
１３５  数字部（情報内容）
１３６  意匠ライン（情報内容）
１５０  指針
１５１  回転軸
１５４  指針本体部
１５４ｃ  針状反射部
１５４ｄ  ライン状反射部
１５５  第１反射部（反射部）
１５６  第２反射部（反射部）
１５７  第３反射部（反射部）
１７０  光源部
【図１】
2019060702.tif 000003
【図２】
2019060702.tif 000004
【図３】
2019060702.tif 000005
【図４】
2019060702.tif 000006
【図５】
2019060702.tif 000007
【図６】
2019060702.tif 000008
【図７】
2019060702.tif 000009
【図８】
2019060702.tif 000010
【図９】
2019060702.tif 000011
【図１０】
2019060702.tif 000012